(57)【要約】      （修正有）【課題】使用者で組み立て可能なレコード盤再生装置を提供する。【解決手段】レコード盤再生装置１は、ケース体１１と、レコード盤再生機構１２と、少なくとも一つのスピーカー１３と、一つの電気回路板１４とを備える。ケース体が蓋体１１１と、台座１１２とを含み、蓋体を台座に被せ、蓋体と、台座との間に収容空間１１３を挟設する。レコード盤再生機構は収容空間に収容されている。少なくとも一つのスピーカーは収容空間に収容されている。一つの電気回路板は収容空間に収容されている。蓋体と、台座とが分離し、蓋体には収容孔を形成されており、レコード盤再生機構を収容孔に固設しておき、続いてスピーカーと、電気回路板とを台座に固定した後に、電気回路板をそれぞれレコード盤再生機構と、スピーカーと電気接続し、レコード盤再生機構を取り付けた蓋体を台座に閉め戻すことによって、レコード盤再生装置が形成される。これにより、使用者が組み立てを楽しむことができる。【選択図】図１
0003211950.tif 000002
【実用新案登録請求の範囲】
【請求項１】
ケース体と、レコード盤再生機構と、少なくとも一つのスピーカーと、電気回路板と、を備えるレコード盤再生装置であって、
前記ケース体は蓋体と、台座とを含み、
前記蓋体が前記台座に被せられ、前記蓋体と前記台座との間に収容空間が挟設され、
前記レコード盤再生機構が前記収容空間に収容され、
前記少なくとも一つのスピーカーが前記収容空間に収容され、
前記電気回路板が前記収容空間に収容され、
前記蓋体と、前記台座とを分離し、前記蓋体には収容孔が形成されており、
前記レコード盤再生機構を前記収容孔に固設し、引き続いて前記スピーカーと、前記電気回路板とを前記台座に固定した後に、前記電気回路板をそれぞれ前記レコード盤再生機構と、前記スピーカーとに電気接続し、前記レコード盤再生機構を取り付けた前記蓋体を前記台座に閉め戻すことによって形成されることを特徴とする、レコード盤再生装置。
【請求項２】
前記ケース体は紙質部材より形成されていることを特徴とする、請求項１記載のレコード盤再生装置。
【請求項３】
使用者が前記収容孔の切り取りに用いるために、前記蓋体には前記収容孔の形状に対応した第１切り取り線をあらかじめ配置されていることを特徴とする、請求項２記載のレコード盤再生装置。
【請求項４】
前記レコード盤再生機構は固定具を介して前記収容空間に収容されることを特徴とする、請求項３記載のレコード盤再生装置。
【請求項５】
前記台座は、延長部と、第２切り取り線とを更に含み、前記蓋体を前記台座に閉め戻す前に、前記第２切り取り線に沿って前記延長部を取り除くことを特徴とする、請求項４記載のレコード盤再生装置。
【請求項６】
前記台座の表面は第３切り取り線を有しており、切り取って孔部を形成することを特徴とする、請求項５記載のレコード盤再生装置。
【請求項７】
前記電気回路板は電源入力孔を備え、前記電気回路板を前記台座に取り付けた後、前記電源入力孔を前記孔部に対応して取り付けることを特徴とする、請求項６記載のレコード盤再生装置。
【請求項８】
前記電気回路板は音源入力孔を備え、前記電気回路板を前記台座に取り付けた後、前記音源入力孔を前記孔部に対応して取り付けることを特徴とする、請求項７記載のレコード盤再生装置。
【請求項９】
前記電気回路板は音源出力孔を備え、前記電気回路板を前記台座に取り付けた後、前記音源出力孔を前記孔部に対応して取り付け、前記レコード盤再生機構で再生した音楽を前記音源出力孔から他の再生装置に出力することを特徴とする、請求項８記載のレコード盤再生装置。
【考案の詳細な説明】
【技術分野】
【０００１】
本考案は再生装置に関し、特に環境配慮部材と携行便利で、しかも使用者で組み立て可能なレコード盤再生装置に関する。
【背景技術】
【０００２】
レコード盤は、人類史において、音声信号を保存するもっとも早い媒体である。エジソン氏のドラムレコードの誕生から百年以上がたち、レコード盤によって、我々人類は貴重な音声データを大量に保存して来た。デジタル音響技術が高度に発展する現在でも、レコード盤は古いがために歴史のステージから消えることなく、使用に若干不便はあるものの、依然として、音質や聴覚上は最高のものである。レコード盤によって、音楽の歴史は忠実に記録されて来ており、そこには文化の深みが豊富に含まれ、人を引きつける魅力を漂わせている。そのため、今日に至っても多くの家庭にレコード盤再生装置が置かれている。
【考案の概要】
【考案が解決しようとする課題】
【０００３】
しかし、従来のレコード盤再生装置は部品が多く、使用者による組み立てには向いていなかった。また、使用者が部品を取り出して傍に置いた後、組み立てるときに、部品を紛失したり、置いた場所を忘れたりすることを防ぐため、ほとんどのレコード盤再生装置は組み立て済み状態で販売されている。組み立て作業を省いた一方で、体積が大きくて運搬に不便であるほか、一部消費者が持つ組み立て希望に対応することはできない。さらに、レコード盤再生装置の共鳴箱は一般的に回収できない部材で仕上げられているため、レコード盤再生装置を廃棄処分するときに共鳴箱を回収することができず、再利用することができないことから、環境保護には不向きであるのが現状である。
【０００４】
この点について、考案者は欠けているところを鋭意研究し、かかる産業における長年蓄積された経験を元にして、組み立て可能なレコード盤再生装置を考案し、前述した公知技術の欠点の改善を図る。
【課題を解決するための手段】
【０００５】
本考案の一目的は、使用者自らが組み立てることのできるレコード盤再生装置を提供する。使用者が組み立てを楽しめるとともに、組み立てる前には携行便利であり、かつ、組み立てるときに部品を紛失しにくい。
【０００６】
前述の目的を達成するため、本考案に係る使用者で組み立て可能なレコード盤再生装置は、ケース体と、レコード盤再生機構と、少なくとも一つのスピーカーと、一つの電気回路板とを備える。ケース体が蓋体と、台座とを含み、蓋体を台座に被せ、蓋体と、台座との間に収容空間を挟設する。レコード盤再生機構は収容空間に収容されている。少なくとも一つのスピーカーは収容空間に収容されている。一つの電気回路板は収容空間に収容されている。蓋体と、台座とを分離させ、蓋体には収容孔が形成されており、レコード盤再生機構を収容孔に固設しておく。続いてスピーカーと、電気回路板とを台座に固定した後に、電気回路板をそれぞれレコード盤再生機構と、スピーカーと電気接続し、レコード盤再生機構を取り付けた蓋体を台座に閉め戻すことによって、レコード盤再生装置が形成される。これにより、使用者が組み立てを楽しむことができる。さらに、蓋体の収容空間に必要部品を収容することにより部品紛失を避けられるほか、組み立て前の携行が便利である。
【０００７】
このほか、ケース体は紙質部材から仕上げるため、回収不能なゴミの発生を減少させることができるとともに、環境保護の効果がある。
【０００８】
使用者が収容孔を切り取るため、収容孔の形状に対応して、蓋体に第１切り取り線をあらかじめ残すことが好ましい。
【０００９】
レコード盤は固定具を介して収容空間に収容しておき、レコード盤再生機構が固定されないままで移動する際、収容空間でぶつかることを防いでおくことが好ましい。
【００１０】
台座には延在部と、第２切り取り線とを更に備えさせ、蓋体を台座に閉め戻す前に、第２切り取り線に沿った延在部を切り取ることが好ましい。延在部は、ケース体内部の収容空間を増やすことができ、かつ、組み立てるときに取り除いて、組み立て後の不要な空間を少なくできる。
【００１１】
台座には孔部を形成する第３切り取り線を更に備えさせ、レコード盤再生機構が外部から電源を取り込むため、電気回路板に電源入力孔を設けて、電気回路板を台座に固定した後、電源入力孔を孔部に対応させて取り付けることが好ましい。
【００１２】
電気回路板には音源入力孔を更に設け、電気回路板を台座に固定した後、音源入力孔を孔部に対応して設け、外部の音声信号をスピーカーを介して再生させることが好ましい。
【００１３】
電気回路板には音源出力孔を更に設け、電気回路板を台座に固定した後、音源出力孔を孔部に対応して設け、レコード盤再生機構が再生する音楽が音源出力孔を介して他の再生装置に再生されることが好ましい。
【００１４】
これにより、使用者は自らレコード盤再生装置の組み立てを楽しむことができるほか、部品をケース体に収容しておき、移動時の利便性を向上させることができるとともに、部品の紛失を避けることができる。ケース体は包装と、共鳴という二つの効果を兼ね備え、組み立てる前は包装ケースとして利用でき、組み立てた後は共鳴チャンバーとして利用できる。よって、公知の従来方式の包装ケースのように廃棄する必要はなく、さらに、ケース体は紙素材のため、環境保護と、資源の回収利用の二重効果がある。
【図面の簡単な説明】
【００１５】
【図１】本考案の好ましい実施例の分解図である。
【図２】本考案の好ましい実施例の取り付け前の態様図である。
【図３】本考案の好ましい実施例の取り付け手順図（その１）である。
【図４】本考案の好ましい実施例の取り付け手順図（その２）である。
【図５】本考案の好ましい実施例の取り付け手順図（その３）である。
【図６】本考案の好ましい実施例の取り付け完了の態様図（その１）である。
【図７】本考案の好ましい実施例の取り付け完了の態様図（その２）である。
【考案を実施するための形態】
【００１６】
審査官の方々が本考案の内容のさらなる理解を図るため、下記の説明に図式を組み合わせ、参考にしていただきたい。
【実施例】
【００１７】
図１、本考案の好ましい実施例の分解を示す図を参照する。図に示すように、本考案の使用者で組み立て可能なレコード盤再生装置１は、ケース体１１と、レコード盤再生機構１２と、少なくとも一つのスピーカー１３と、一つの電気回路板１４と、を備える。本実施例において、スピーカー１３は複数設けられている。ケース体１１は紙質部材から形成されており、蓋体１１１と、台座１１２とを含む。蓋体１１１が台座１１２に被せられており、蓋体１１１と、台座１１２との間に収容空間１１３を挟設する。レコード盤再生機構１２と、スピーカー１３と、電気回路板１４とはすべて収容空間１１３に収容されている。収容空間１１３に収容することによって、組み立てる前の移動に便利となり、部品が露出したまま、移動でぶつかることによって部品が損傷する心配はない。さらに、本実施例において、ケース体１１にはハンドル１５が設けられており、使用者が掴むことによって移動に便利である。
【００１８】
引き続き、図２ないし図６、本考案の好ましい実施例の組み立て前の態様図と、組み立て手順図（その１）と、組み立て手順図（その２）と、組み立て手順図（その３）と、組み立て完成図（その１）とを参照する。図に示すように、使用者がレコード盤再生装置１を使用するときは、まず、レコード盤再生装置１を図２に示す包装ケースの態様から図６に示す再生装置の態様に組み立てた後に、レコード盤をレコード盤再生機構１２に取り付けて再生できる。組み立ての手順は、まず、蓋体１１１と、台座１１２とを分離させた後、蓋体１１１に収容孔１１４を形成する。図３に示すように、収容孔１１４がレコード盤再生機構１２の形に対応して設けられている。本実施例において、使用者は蓋体１１１に収容孔１１４に対応して形成する第１切り取り線１１４１に沿って、収容孔１１４を切り取ることができる。
【００１９】
本実施例において、収容孔１１４を切り取って形成した後、レコード盤再生機構１２が固定具１１５を利用して収容空間１１３の内部に収容される。さらに、ケース体１１内部の部品収納空間を増大させ、レコード盤再生機構１２と他の部品やスピーカー１３または電気回路板１４が移動により互いにぶつかることを避けるため、台座に第２切り取り線１１６１と、延長部１１６とを形成する。組み立てるときは、固定具１１５と、レコード盤再生機構１２とを合わせて、収容空間１１３から取り出した後、使用者が台座１１２の第２切り取り線１１６１に沿って、延長部１１６を切り取り、図４に示すように、レコード盤再生装置１を組み立てた後の全体体積を縮小できる。
【００２０】
図５に示すように、延長部１１６を取り除いた後、使用者がレコード盤再生装置１２を固定具１１５より取り外し、収容孔１１４に固設しておき、スピーカー１３と、電気回路板１４とはねじを用いて、それぞれ台座１１２に固定させる。最後は図６に示すように、電気回路板１４をレコード盤再生機構１２と、スピーカー１３とそれぞれに電気接続した後、レコード盤再生機構１２を取り付けた蓋体１１１を台座１１２に蓋戻して、レコード盤再生装置１の組み立てを完了する。そのうち、延長部１１６を取り除くことは、組み立てた後の体積を縮小できる。しかし、使用者には取り除かない選択が残されている。これによって、スピーカー１３に対応して形成する共鳴空間が拡大され、より良い再生効果が得られる。
【００２１】
本考案は、部品をケース体１１の内部に収容することによって、ケース体１１が包装と収容効果を達成できる。さらに、ほとんどの部品を収容空間１１３から取り出す必要はない。そのため、使用者は部品を取り出した後の置き場所を忘れる心配はない。組み立て完了後、ケース体１１がスピーカー１３の共鳴箱に変身し、スピーカー１３から伝送された音声を共鳴によって、より良い音色が得られる。よって、ケース体１１はそれぞれの態様において、それぞれの機能を有する。一方、ケース体１１の表面を切り取って、部品をつなぎ合わせることは、使用者が組み立てを楽しむことができる。本考案によれば、包装ケースのケース体１１を廃棄するではなく、新しい機能を与えられる。さらに、紙質部材から仕上げているため、環境保護に呼応できるとともに、その表面に柄模様の塗装を施すこともできる。
【００２２】
図７、本考案の好ましい実施例の取り付け完了の態様図（その２）と、図１を合わせて参照する。図に示すように、本実施例において、電気回路板１４が電源入力孔１４１と、音源入力孔１４２と音源出力孔１４３とを含むほか、台座１１２の表面には第３切り取り線１１７１から切り取って、孔部１１７を形成しており、使用者は電気回路板１４を取り付けるときに、第３切り取り線１１７１に沿って、孔部１１７を形成しておき、電気回路板１４を取り付けるときに、電源入力孔１４１と、音源入力孔１４２と、音源出力孔１４３とを孔部１１７に対応して取り付けることができる。各孔部はそれぞれの機能を有しており、電源入力孔１４１によって、レコード盤再生装置１を外部から電源を取得できる。本実施例において、電源入力孔１４１はＵＳＢ態様を形成しており、音源入力孔１４２によって、外部の音声信号をスピーカー１３より再生できる。さらに、音源出力孔１４３はレコード盤再生装置１２で再生した音楽を音源出力孔１４３を経由して他の再生装置に出力することができる。これにより、本考案の機能は増やせることができ、ただ単にレコード盤音楽を再生することにとどまらない。
【符号の説明】
【００２３】
１        レコード盤再生装置
１１      ケース体
１１１    蓋体
１１２    台座
１１３    収容空間
１１４    収容孔
１１４１  第１切り取り線
１１５    固定具
１１６    延長部
１１６１  第２切り取り線
１１７    孔部
１１７１  第３切り取り線
１２      レコード盤再生機構
１３      スピーカー
１４      電気回路板
１４１    電源入力孔
１４２    音源入力孔
１４３    音源出力孔
１５      ハンドル
【図１】
0003211950.tif 000003
【図２】
0003211950.tif 000004
【図３】
0003211950.tif 000005
【図４】
0003211950.tif 000006
【図５】
0003211950.tif 000007
【図６】
0003211950.tif 000008
【図７】
0003211950.tif 000009